(57)【要約】      （修正有）【課題】宝石や貴金属等を盗難から守る方法を提供する。【解決手段】不審者が侵入して、高価な宝石や貴金属等を掻き集めて逃げるまでの時間を、今までの数倍かけさせる目的で、先ず不審者侵入で、建物に配置されている監視装置作動により、監視装置からの作動信号または、展示ガラスケ−ス２内に設けられている盗難防止センサ−８からの信号か、何れか早い信号を、展示台４内に設けられている、コントロ−ルボックスが受け、床開閉装置５を作動させ、瞬時に展示中の宝石や貴金属等を音もなく、展示台最下部に設けられた、収納兼引き出し１０内に保管すると共に、床開口部の下方に上下二段に交差した状態で設けられている、消音・衝撃吸収材を巻いた棚１１，１２により、宝石や貴金属を見ることが出来ないため、捜し続け見つけるまでに長時間かかり、盗難をあきらめさせる。【選択図】  図４
2006018786.tif 000002
【特許請求の範囲】
【請求項１】
昼夜間不審者が侵入したとき、建物に配置されている監視装置が働きそのときの信号、または展示ガラスケ−ス内に設けられている盗難防止センサ−からの信号か、いずれか早い方を、宝石や貴金属等の展示台内に設けられている、コントロ−ルボックスが受、コントロ−ルボックスの働きで、床開閉装置が作動して宝石や貴金属等を展示している床が開き、展示中の宝石や貴金属等が、瞬時に侵入者に気付かれることなく、音もなく展示台最下部に設けられている、収納兼引き出し内に保管、一度保管された宝石や貴金属等を盗もうとしても、強固な架台と数カ所に設けられた丈夫な保安錠により、盗むまでに非常に時間を費やすため、侵入者に盗むのをあきらめさせることを特徴とする、宝石や貴金属等の盗難防止方法。
【請求項２】
不審者が侵入して、展示台上に何も無いことに気がつき、室内を必死に捜し続け、展示台の床が開いていることに気づき、侵入者が開いた床下を必ず覗き込むが、宝石や貴金属等が発見出来ないよう、開いた床の下方に、上下二段に交差した状態で設けられている、消音・衝撃吸収材を巻いた棚を設けていることを特徴とする、請求項１に記載の宝石や貴金属等の盗難防止方法。
【発明の詳細な説明】
【技術分野】
【０００１】  本発明は、宝石や貴金属等を盗難から守る方法に関するものである。
【背景技術】
【０００２】  従来は、盗難防止のため、不審者侵入に対する、防犯監視装置を建物全体に配置し、不審者侵入により監視装置が働き、警察・警備会社等へ盗難信号がきて、警察官・警備員等が現場に駆けつける方法である。
【発明の開示】
【発明が解決しようとする課題】
【０００３】  そのために、次のような問題点があった。
（イ）  不審者侵入に対する防犯は、不審者が建物への侵入を監視するための監視装置であって、高価な宝石や貴金属等を盗難から守る装置は無かった。
（ロ）  監視装置だけでは、不審者が侵入して宝石や貴金属等を掻き集めて逃げるまでの時間は短く、監視装置が働いて警察官または警備員が現場に駆けつけるまでには、侵入者は逃亡していた。
【課題を解決するための手段】
【０００４】  不審者が侵入して高価な宝石や貴金属等を、掻き集めて逃げるまでの時間を、今までより数倍かけさせる目的で、先ず不審者侵入で、監視装置作動により、監視装置からの盗難信号または、展示ガラスケ−ス内に設けられている盗難防止センサ−からの信号か、何れか早い方を、展示台内に設けているコントロ−ルボックスが受、コントロ−ルボックの働きで、床開閉装置が作動して、宝石や貴金属等を展示している床が開き、展示中の宝石や貴金属等が、侵入者に気付かれることもなく、瞬時に音もなく展示台最下部に設けられた収納兼引き出し内に保管することにより、侵入者が宝石や貴金属等を盗もうと展示台に近寄っても、目的の商品はなく、先ず捜すが、床開口部より覗いても、上下二段に交差した状態で設けられている、消音・衝撃吸収材を巻いた棚により、最下部の収納兼引き出し内に保管された、宝石や貴金属等は見ることが出来ないため、捜し続けることで、時間を費やし、あきらめて引き上げさせることを特徴とする、宝石や貴金属等の盗難防止方法。【０００５】  また、展示台下部に宝石や貴金属等が有ると気づき、展示台から盗もうとしても、展示台外装は鉄板で覆われているうえに、下部の展示品取り出し扉と、展示品保護ケ−ス内の展示品収納兼引き出し、夫々に丈夫な錠が使用されているため、夫々を壊すには時間を要するため、監視装置で知らされて、駆けつける警察官または、警備員の方が早く駆けつけ、侵入者はあきらめて逃げるか、駆けつけた警察官等に逮捕される結果となり、本発明は、安全に保管出来ることを、特徴とする宝石や貴金属等の盗難防止方法である
【発明の効果】
【０００６】  本発明の展示台により、高価な宝石や貴金属等を、侵入する不審者による、盗難から確実に守ることが出来る。
【発明を実施するための最良の形態】
【０００７】  以下、本発明の実施の形態について説明する。
（イ）  展示架台（４）上部に、展示用全面ガラス張りウインドケ−ス（２）を設けウインドケ−ス内の展示用中央部床（１）は、自由に開閉出来る開閉床（１）を設け、ウインドケ−ス（２）の正面にはガラススライドドア−（３）を設ける。
（ロ）  ウインドケ−ス（２）の正面スライドドア−（３）には、丈夫な錠（１４）を設ける。
（ハ）  ウインドケ−ス（２）内には盗難防止センサ−（８）を設ける。
（ニ）  架台（４）内の中央部に、床開閉装置（５）を設け、架台（４）内側には展示品保護ケ−ス（６）を設け、架台（４）内側下部にはコントロ−ルボックス（７）を設ける。
（ホ）  展示品保護ケ−ス（６）内に、上下二段の消音・衝撃吸収材（１３）を巻いた棚（１１・１２）を設ける。
（ヘ）  展示品保護ケ−ス（６）内の最下部に展示品収納兼引き出し（１０）を設け、展示品収納兼引き出し（１０）には、丈夫な錠（１５）を設ける。
（ト）  架台（４）正面下部には展示品取り出し扉（９）を設け、この扉（９）には丈夫な錠（１５）を設ける。
本発明は、以上のような構成で、これを使用するときの実施例を  以下に説明する。
【実施例１】
【０００８】  展示用のウインドケ−ス（２）内の、開閉床（１）上に宝石や貴金属等を先ず展示し、ガラススライドドア−（３）には錠（１４）をする。
次に、コントロ−ルボックス（７）のメインスイッチ（２２）をＯＮ、次にリセットスイッチ（２３）ＯＮとし、盗難防止装置を待機常態とする。【０００９】  夜間に不審者が店内に侵入した場合、先ず建物に設けられた監視装置（１６）が作動し、監視装置（１７）からの信号で、架台（４）内に設けられた、コントロ−ルボックス（７）が働き、次に床開閉装置（５）が作動して、開閉床（１）が開き、展示中の宝石や貴金属が侵入者に気付かれることなく、瞬時に各棚（１１・１２）を音もなく通過し、最下部に設けられた展示品収納兼引き出し（１０）内に保管されるが、侵入者が宝石や貴金属等を持ち帰るため必死に捜し、遂には鉄板で覆われた架台（４）を壊すか、丈夫な錠（１５）を壊し、展示品保護ケ−ス（６）最下部の展示品収納兼引き出し（１０）の丈夫な錠（１６）までに、たどり着くには、数時間を費やすため、途中であきらめて逃げるか、監視装置作動で駆けつけた警察官・警備員に逮捕されるかで、展示中の宝石や貴金属等を盗難から防止することを特徴とする、宝石や貴金属等の盗難防止方法
【実施例２】
【００１０】  また、昼間宝石や貴金属等を展示中、不審者がガラスケ−ス（２）を破壊して、宝石や貴金属等を盗もうと、手をガラスケ−ス内に入れた途端、盗難防止センサ−（８）が作動して、コントロ−ルボックス（７）を介して、床開閉装置（５）が働き、開閉床（１）が開き展示中の宝石や貴金属等が、侵入者に気付かれることなく、瞬時に展示品収納兼引き出し（１０）内に保管されるが、不審者が宝石や貴金属等を持ち帰るため必死に捜し、遂には鉄板で覆われた架台（４）を壊すか、展示品収納兼取り出し扉（９）にかかっている、丈夫な錠（１５）を壊し、展示品保護ケ−ス（６）最下部の、展示品収納兼引き出し（１０）にかかっている丈夫な錠（１６）までにたどり着くには、数時間を費やすため、途中であきらめて逃げるか、監視装置作動で駆けつけた警察官・警備員に逮捕されるかで、展示中の宝石や貴金属等を盗難から防止することを特徴とする、宝石や貴金属等の盗難防止方法。
【産業上の利用可能性】
【００１１】  最近とくに、貴金属店に強盗が押し入り、宝石や貴金属等高額な被害が新聞・テレビ等で報道されている。
本発明は、宝石や貴金属等を取り扱う産業分野に大いに貢献出来る。
【図面の簡単な説明】
【００１２】
【図１】  本発明の、一実施例の盗難防止装置の平面図を示す構成図である。
【図２】  盗難防止装置の正面図である。
【図３】  図１のＡ−Ａ断面線から見た正面図である。
【図４】  図１のＢ−Ｂ断面線から見た側面図である。
【図５】  盗難防止装置作動時の、図１のＢ−Ｂ断面線から見た側面図である。
【図６】  電気回路例である。
【符号の説明】
【００１３】        １  開閉床
２  ガラス  ケ−ス
３  ガラス  スライド  ドア−
４  架台
５  床開閉装置
６  展示品保護ケ−ス
７  コントロ−ル  ボックス
８  ガラスケ−ス内盗難防止センサ−
９  展示品取りだし扉
１０  展示品収納兼引き出し
１１  上部消音・衝撃吸収棚
１２  下部消音・衝撃吸収棚
１３  消音・衝撃吸収材
１４  ガラススライド  ドア−錠
１５  展示品取り出し扉錠
１６  展示品収納兼引き出し錠
１７  建物用監視装置
１８  盗難防止センサ−
１９  警報スイッチ
２０  ロ−タリ−ソレノイド
２１  警報ブザ−および警報ライト
２２  メインスイッチ
２３  リセットスイッチ
２４  ヒュ−ズ
２５  キ−プスイッチ
２６  パワ−リレイ
２７  バッテリ−および充電装置（ＡＣ１００Ｖ→ＤＣ１２Ｖ）
【図１】
2006018786.tif 000003
【図３】
2006018786.tif 000004
【図４】
2006018786.tif 000005
【図５】
2006018786.tif 000006
【図６】
2006018786.tif 000007